(57)【特許請求の範囲】
【請求項１】
申込者側端末と、
上記申込者側端末にネットワークを介して接続される所有者側サーバとからなり、
上記所有者側サーバは、
所定の領域の地図情報および該所定の領域の電柱位置情報を記憶する第１の記憶部と、
上記所定の領域に存在する各電柱の使用情報を記憶する第２の記憶部と、
所定の電柱の使用申込情報を記憶する第３の記憶部と、
上記申込者側端末から送られてくる地域指定情報に応じて、上記第１の記憶部に記憶されている地図情報および電柱位置情報、並びに上記第２の記憶部に記憶されている使用情報に基づき、上記地域指定情報で指定された地域の地図を表示するとともに、該地図上に重ねて上記指定された地域の電柱を使用可否の判別が可能に表示する第１の表示情報を上記申込者側端末に送る第１の送信制御部と、
上記申込者側端末から送られてくる上記指定された地域内の使用可能な所定の電柱を指定する電柱指定情報に応じて、上記第２の記憶部に記憶されている使用情報に基づき、上記所定の電柱の使用可能ポイントおよび該所定の電柱の使用を申し込むための所定のフォームの申込書を表示する第２の表示情報を上記申込者側端末に送る第２の送信制御部と、
上記申込者側端末から送られてくる所定の電柱の使用申込情報を、上記第３の記憶部に格納する書き込み制御部とを備え、
上記第１の送信制御部は、上記地域の地図および上記地域の電柱の使用可否を示す表示情報の他に、上記第１の記憶部に記憶されている地図情報および電柱位置情報、並びに上記第２の記憶部に記憶されている使用情報に基づき、上記指定された地域の上記電柱が既設電柱であるか新設予定電柱であるかを判別可能に表示すると共に、表示した上記既設電柱および上記新設予定電柱の使用可否を判別可能に表示する上記第１の表示情報を上記申込者側端末に送る
ことを特徴とする電柱使用申込システム。
【請求項２】
申込者側端末とネットワークを介して接続されるサーバであって、
所定の領域の地図情報および該所定の領域の電柱位置情報を記憶する第１の記憶部と、
上記所定の領域に存在する各電柱の使用情報を記憶する第２の記憶部と、
所定の電柱の使用申込情報を記憶する第３の記憶部と、
上記申込者側端末から送られてくる地域指定情報に応じて、上記第１の記憶部に記憶されている地図情報および電柱位置情報、並びに上記第２の記憶部に記憶されている使用情報に基づき、上記地域指定情報で指定された地域の地図を表示するとともに、該地図上に重ねて上記指定された地域の電柱を使用可否の判別が可能に表示する第１の表示情報を上記申込者側端末に送る第１の送信制御部と、
上記申込者側端末から送られてくる上記指定された地域内の使用可能な所定の電柱を指定する電柱指定情報に応じて、上記第２の記憶部に記憶されている使用情報に基づき、上記所定の電柱の使用可能ポイントおよび該所定の電柱の使用を申し込むための所定のフォームの申込書を表示する第２の表示情報を上記申込者側端末に送る第２の送信制御部と、
上記申込者側端末から送られてくる所定の電柱の使用申込情報を、上記第３の記憶部に格納する書き込み制御部とを備え、
上記第１の送信制御部は、上記地域の地図および上記地域の電柱の使用可否を示す表示情報の他に、上記第１の記憶部に記憶されている地図情報および電柱位置情報、並びに上記第２の記憶部に記憶されている使用情報に基づき、上記指定された地域の上記電柱が既設電柱であるか新設予定電柱であるかを判別可能に表示すると共に、表示した上記既設電柱および上記新設予定電柱の使用可否を判別可能に表示する上記第１の表示情報を上記申込者側端末に送る
ことを特徴とするサーバ。
【請求項３】
上記電柱の使用は、共架もしくは看板の設置または、これらを設置する権利である
ことを特徴とする請求項２に記載のサーバ。
【請求項４】
上記第１の表示情報は、上記指定された地域の電柱を、色または形状で使用可否を判別し得るように表示する
ことを特徴とする請求項２に記載のサーバ。
【発明の詳細な説明】
【技術分野】
【０００１】
この発明は、電柱への共架あるいは看板の設置等の申し込み、または、将来的に共架あるいは看板の設置等を行う際の権利確保等を目的とした申し込みを行う際に使用される電柱使用申込システムおよびサーバに関する。詳しくは、この発明は、申込者側端末からの地域指定情報に基づいて、所有者側サーバから申込者側端末に、指定地域の地図を表示するとともに、地図上に重ねて電柱を使用可否の判別が可能に表示する表示情報が送信され、また申込者側端末からの電柱指定情報に基づいて所有者側サーバから申込者側端末に指定電柱の使用可能ポイントおよび所定のフォームの申込書が送信され、申込者側端末から所有者側サーバに使用申込情報を送信することで使用申込が行われることによって、申込者が迅速かつ容易に電柱の使用申込を行い得るようにした電柱使用申込システム等に係るものである。
【背景技術】
【０００２】
従来、電柱の使用申込をする際、使用を希望する地域に存在する電柱の使用状況を調査するだけで時間を要する上、使用申込方法も複雑かつ面倒であり、使用が開始できるようになるまで長期間かかる。このため、例えば短期間の看板の設置を希望する不動産業者等は電力会社に無断で看板を設置することがあり、安全面や管理面で問題となっている。
【０００３】
従来、端末とネットワークを介して接続される電柱情報提供装置が提案されている。この電柱情報提供装置は、電柱に関する文字情報および写真情報が格納された電柱情報記憶部を有し、端末からの地域指定に応じて電柱情報記憶部に記憶された指定地域の地図およびその地域に存在する電柱を表示する表示情報を端末に送信し、端末からの電柱選択情報に応じて、電柱の種別、使用者等の文字情報および写真情報を表示する表示情報を端末に送信する（特許文献１参照）。
【０００４】
【特許文献１】特開２００２−２３００９５号公報
【発明の開示】
【発明が解決しようとする課題】
【０００５】
しかし、上述した電柱情報提供装置は、端末によって指定された地域の地図およびその指定地域に存在する電柱の表示情報を送信するものの、各電柱の使用可否を端末で知るには各電柱を順次選択しなければならないため、時間がかかる。また、上述した電柱情報提供装置は既設電柱の文字情報しか記憶しておらず、新設予定の電柱については、端末からは一切知ることができない。さらに、上述した電柱情報提供装置は、所定の電柱の文字情報および写真情報を表示する表示情報を送信するだけで、表示情報に基づいて端末を用いて電柱の使用を申し込むことはできないため、別途所定の申込用紙に使用を希望する電柱の詳細情報を記入して電力会社に郵送しなければならず、大変不便である。
【０００６】
この発明の目的は、申込者が電柱の使用申込を迅速かつ容易に行い得るようにすることにある。
【課題を解決するための手段】
【０００７】
この発明の概念は、
申込者側端末と、
上記申込者側端末にネットワークを介して接続される所有者側サーバとからなり、
上記所有者側サーバは、
所定の領域の地図情報および該所定の領域の電柱位置情報を記憶する第１の記憶部と、
上記所定の領域に存在する各電柱の使用情報を記憶する第２の記憶部と、
所定の電柱の使用申込情報を記憶する第３の記憶部と、
上記申込者側端末から送られてくる地域指定情報に応じて、上記第１の記憶部に記憶されている地図情報および電柱位置情報、並びに上記第２の記憶部に記憶されている使用情報に基づき、上記地域指定情報で指定された地域の地図を表示するとともに、該地図上に重ねて上記指定された地域の電柱を使用可否の判別が可能に表示する第１の表示情報を上記申込者側端末に送る第１の送信制御部と、
上記申込者側端末から送られてくる上記指定された地域内の使用可能な所定の電柱を指定する電柱指定情報に応じて、上記第２の記憶部に記憶されている使用情報に基づき、上記所定の電柱の使用可能ポイントおよび該所定の電柱の使用を申し込むための所定のフォームの申込書を表示する第２の表示情報を上記申込者側端末に送る第２の送信制御部と、
上記申込者側端末から送られてくる所定の電柱の使用申込情報を、上記第３の記憶部に格納する書き込み制御部とを備え、
上記第１の送信制御部は、上記地域の地図および上記地域の電柱の使用可否を示す表示情報の他に、上記第１の記憶部に記憶されている地図情報および電柱位置情報、並びに上記第２の記憶部に記憶されている使用情報に基づき、上記指定された地域の上記電柱が既設電柱であるか新設予定電柱であるかを判別可能に表示すると共に、表示した上記既設電柱および上記新設予定電柱の使用可否を判別可能に表示する上記第１の表示情報を上記申込者側端末に送る
ことを特徴とする電柱使用申込システムにある。
【０００８】
この発明において、所有者側サーバは、ネットワークを介して申込者の有する申込者側端末に接続される。所有者側サーバは、第１の記憶部、第２の記憶部、第３の記憶部を有している。第１の記憶部には所定の領域の地図情報およびその領域に存在する電柱位置情報が記憶されている。第２の記憶部にはその所定の領域に存在する各電柱の使用情報、例えば使用の有無、使用者の名前等が記憶されている。使用情報を記憶し、第３の記憶部には使用申込情報が記憶されている。それぞれの使用申込情報には、例えば電柱番号、申込者の名前、住所等の情報が含まれている。
【０００９】
電柱の使用とは共架および看板の設置、または将来、共架および看板の設置をするための権利確保をいう。共架とは、例えばケーブルテレビなどの電気通信設備を電柱に取り付けることである。看板の設置とは、例えば広告パネル等を電柱に設置することである。
【００１０】
申込者が電柱使用を希望する地域を指定し、その地域指定情報が申込者側端末から所有者側サーバに送信されると、第１の記憶部に記憶されている地図情報および電柱位置情報、並びに第２の記憶部に記憶されている使用情報に基づいて、その指定地域の地図を表示するとともに、その地図上に重ねて電柱を使用可否の判別が可能に表示する第１の表示情報が、所有者側サーバから申込者側端末に送信される。
【００１１】
これにより、申込者側端末のディスプレイに指定地域の地図に重ねて、その地域の電柱が使用可否の判別が可能に表示される。申込者はこの表示をもとに使用を希望する電柱を指定できる。
【００１２】
ここで、使用可能であるか否かが、例えば色もしくは形状で判別し得るように表示される。このとき、電柱の使用可否の情報のみならず、例えば電柱が既設であるかもしくは新設予定であるかについても、判別可能に表示されるようにしてもよい。これらの判別可能な表示により、申込者は使用申込を行う電柱の指定を効率よく、容易に行うことができる。
【００１３】
色で判別する場合は、例えば、使用可能な電柱を青色、使用不可能な電柱を赤色、新設予定であって使用可能な電柱を緑色、新設予定電柱であって使用不可能な電柱を黄色とすれば、申込者は電柱を個別に選択することなく、指定した地域の電柱の使用可否情報と、電柱が既設もしくは新設予定であるかという情報とを、一目で把握することができる。
【００１４】
申込者側が使用を希望する電柱を指定し、その電柱指定情報が申込者側端末から所有者側サーバに送信されると、例えば第２の記憶部に記憶されている電柱の使用情報に基づいて、指定された電柱の使用可能ポイントと所定のフォームの申込書を表示する第２の表示情報が所有者側サーバから申込者側端末に送信される。これにより、申込者側端末のディスプレイに指定電柱の使用可能ポイントおよび申込書が表示される。申込者はこの表示を参照して使用の申し込みを行うことができる。
【００１５】
使用可能ポイントとは、使用可能な空きポイントをいう。例えば共架を申し込む場合であれば、共架可能な空きポイント（例えば電線の直径で特定される）であり、例えば看板の設置を申し込む場合であれば、設置可能な空きポイント（例えば地上からの高さで特定される）である。
【００１６】
申込者が電柱の使用を申し込む場合、使用可能ポイントと伴に表示された所定のフォームの申込書に、例えば氏名、住所、メールアドレス、選択した共架可能ポイントもしくは設置可能ポイント等の必要事項が記入され、この申込書が使用申込情報として申込者側端末から所有者側サーバに送信される。送信された使用申込情報は、例えば所有者側サーバの第３の記憶部に記憶される。所有者は、この第３の記憶部に記憶された使用申込情報に基づいて使用を許可するか否かを審査し、その結果は例えば電子メールで申込者側端末に送信される。
【００１７】
このように、申込者は申込者側端末を用いて電柱使用を希望する地域を指定するだけで、指定した地域の電柱およびその使用可否を容易に把握することができる上、使用を希望する電柱を指定するだけでその電柱の使用可能なポイントを容易に把握できる。また、その使用可能なポイントに応じて希望する共架可能ポイントあるいは設置可能ポイントを容易に選択でき、さらに所定のフォームの申込書に記入して送信するだけで電柱の使用申込を行うことができるので、迅速かつ容易に電柱の使用申込をすることができる。
【発明の効果】
【００１８】
この発明によれば、申込者側端末からの地域指定情報に基づいて、所有者側サーバから申込者側端末に、指定地域の地図を表示するとともに、地図上に重ねて電柱を使用可否の判別が可能に表示する表示情報が送信され、また申込者側端末からの電柱指定情報に基づいて所有者側サーバから申込者側端末に指定電柱の使用可能ポイントおよび所定のフォームの申込書が送信され、申込者側端末から所有者側サーバに使用申込情報を送信することで使用申込が行われるものであり、申込者が電柱の使用申込を迅速かつ容易に行うことができる。
【発明を実施するための最良の形態】
【００１９】
以下、図面を参照しながら、この発明の実施の形態について説明する。図１は、実施の形態としての、電柱使用申込システム１０の構成を示している。この電柱使用申込システム１０は、所有者側サーバ２０とネットワーク４０を介して接続された複数の申込者側端末３０とを有している。また、図２は所有者側サーバ２０の構成を示しており、図３は申込者側端末３０の構成を示している。以下、図１〜図３を用いて電柱使用申込システム１０を詳しく説明する。
【００２０】
所有者側サーバ２０は、図２に示すように、ＣＰＵ（Central Processing Unit）２１と、ＲＡＭ（Random Access Memory）２２と、ＲＯＭ（Read Only Memory）２３と、ネットワークＩ／Ｆ（Interface）２４ａと、入出力Ｉ／Ｆ（Interface）２４ｂと、記憶部２９ａ〜２９ｃとを有しており、これらはバス２８に接続されている。また、入出力Ｉ／Ｆ２４ｂには、ユーザーインターフェイスとしてのキーボード２５と、マウス２６と、ディスプレイ２７とが接続されている。
【００２１】
ＣＰＵ２１は、所有者側サーバ２０の全体の動作を制御するものである。ＲＡＭ２２は、ＣＰＵ２１のワーキングエリアとして機能する。ＲＯＭ２３は、ＣＰＵ２１の動作を制御するための、制御プログラムやデータ等を格納している。ＣＰＵ２１は、ＲＯＭ２３に格納されている制御プログラムを必要に応じて読み出し、ＲＡＭ２２に転送して展開する。そして、ＣＰＵ２１は、ＲＡＭ２２に展開された制御プログラムを読み出して実行することで、所有者側サーバ２０の各部を制御する。
【００２２】
ネットワークＩ／Ｆ２４ａは、ネットワーク４０を介してデータの送受信を行うためのインターフェイスである。また、入出力Ｉ／Ｆ２４ｂは、データのやり取りの制御方法などを規定する。キーボード２５やマウス２６によって操作された入力情報は、入出力Ｉ／Ｆ２４ｂを介してＣＰＵ２１によって処理される。また、ＣＰＵ２１によって制御される表示情報も、入出力Ｉ／Ｆ２４ｂを介してディスプレイ２７に表示される。ディスプレイ２７は、ＬＣＤ（Liquid Crystal Display）等の表示器によって構成されている。
【００２３】
記憶部２９ａ〜２９ｃは例えばＨＤＤ（Hard Disk Drive）等の記憶手段で構成されている。記憶部２９ａは、電力会社の管轄である所定の領域の地図情報およびその領域に存在する電柱の位置情報を記憶している。記憶部２９ｂは、所定の領域に存在する各電柱の使用情報、例えば各電柱の電柱番号、各電柱の使用可否情報、共架可能ポイントおよび設置可能ポイント、使用者との契約内容等の情報を記憶し、記憶部２９ｃは、所定の電柱の使用申込情報を記憶する。それぞれの使用申込情報には、例えば各電柱の使用を申し込んでいる申込者の氏名、住所等の情報が含まれている。
【００２４】
次に、図３を用いて申込者側端末３０の構成を説明する。申込者側端末３０は、ＣＰＵ３１と、ＲＡＭ３２と、ＲＯＭ３３と、ネットワークＩ／Ｆ３４ａと、入出力Ｉ／Ｆ３４ｂと、ＨＤＤ（Hard Disk Drive）３９とを有しており、これらはバス３８に接続されている。また、入出力Ｉ／Ｆ３４ｂには、キーボード３５と、マウス３６と、ディスプレイ３７とが接続されている。各部の構成、動作については上述した所有者側サーバ２０の対応する部分と同一であるので、その詳細については説明を省略する。
【００２５】
次に、上述した電柱申込システム１０において、申込者が申込者側端末３０を用いて電柱の使用を申し込むまでのＣＰＵ３１の動作を、図４のフローチャートを参照して説明する。なお、図４のフローチャートは、電柱の共架を申し込む場合における申込者側端末３０のＣＰＵ３１の動作を示している。
【００２６】
ＣＰＵ３１は、ステップＳＴ１で共架を希望する地域の電力会社の電柱への共架申込受付ホームページにアクセスすることによって、動作をスタートする。
【００２７】
ＣＰＵ３１はステップＳＴ２で、電力会社の管轄する、所定の領域の地図をディスプレイ３７に表示させる。このとき、ディスプレイ３７には、所定の領域の大縮尺図が表示される。
【００２８】
画面には図示せずも、共架を希望する住所または電話番号を入力する箇所と、住所を選択する箇所が表示される。申込者によって、キーボード３５で共架を希望する住所または電話番号が入力されるか、もしくはマウス３６によって住所が選択されることによって地域が指定されると、ＣＰＵ３１はステップＳＴ３で地域指定情報を、バス３８を通じてネットワークＩ／Ｆ３４ａへ送り、ネットワーク４０を介して所有者側サーバ２０に送信する。
【００２９】
所有者側サーバ２０のＣＰＵ２１は、地域指定情報に応じて、記憶部２９ａに記憶されている地図情報および電柱位置情報と、記憶部２９ｂに記憶されている電柱の使用情報に基づいて、指定地域の地図とその地図に重ねてその地域の電柱を表示する表示情報（第１の表示情報）を、バス２８を通じて、ネットワークＩ／Ｆ２４ａへ送り、ネットワーク４０を介して申込者側端末３０に送信する。この場合、ＣＰＵ２１は第１の送信制御部を構成する。
【００３０】
次に、ＣＰＵ３１はステップＳＴ４で地図、電柱の表示情報を所有者側サーバ２０から受信したか否かを判定する。その表示情報を受信したとき、ステップＳＴ５に進む。
【００３１】
ＣＰＵ３１はステップＳＴ５で、受信された表示情報に基づいて、ディスプレイ３７に指定地域の地図および電柱位置を表示させる。
【００３２】
この場合、指定地域の電柱の共架可否の他に、電柱が既設であるか新設予定であるか否かを申込者が容易に判別できるように、例えば色で分けられて表示される。図７（Ａ）は、ステップＳＴ５で、ＣＰＵ３１によってディスプレイ３７に表示される表示の一例を示している。図７（Ａ）の画面の右側には電柱が二重丸で表示され、色によって電柱への共架の可否および電柱が既設であるか新設予定であるかを判別できるようになっている。この場合、画面の左側に記されているとおり、青色は共架可能な電柱、赤色は共架不可能な電柱、緑色が新設予定電柱かつ共架可能な電柱、黄色が新設予定電柱かつ共架不可能な電柱を示すものとされている。
【００３３】
申込者は図７（Ａ）に示す画面を見て、青色もしくは緑色の二重丸の中で、共架を希望する電柱があった場合は、その電柱をマウス３６で選択して指定できる。ＣＰＵ３１は、電柱が指定されると、ステップＳＴ６で、電柱指定情報を、バス３８を通じてネットワークＩ／Ｆ３４ａへ送り、ネットワーク４０を介して所有者側サーバ２０に送信する。
【００３４】
所有者側サーバ２０のＣＰＵ２１は、電柱指定情報に応じて、記憶部２９ｂに記憶されている使用情報に基づいて、指定された電柱の共架可能ポイントおよびその電柱を申し込むための所定のフォームの申込書等を表示する表示情報（第２の表示情報）を、バス２８を通して、ネットワークＩ／Ｆ２４ａへ送り、ネットワーク４０を介して申込者側端末３０に送信する。この場合、ＣＰＵ２１は第２の送信制御部を構成する。
【００３５】
次に、ＣＰＵ３１はステップＳＴ７で、共架可能ポイント、申込書等の表示情報を所有者側サーバ２０から受信したか否かを判定する。この表示情報を受信したとき、ステップＳＴ８へ進む。ＣＰＵ３１はステップＳＴ８で、受信された表示情報に基づいて、共架可能ポイント、希望内容入力フォーム等をディスプレイ３７に表示させる。
【００３６】
図７（Ｂ）は、ステップＳＴ８で、ＣＰＵ３１によってディスプレイ３７に表示される表示例を示している。画面の右側にはその電柱が設置された道路の名前、電柱の図、共架可能ポイントが丸で表示される。図７（Ｂ）のように、共架可能ポイントが複数ある場合は、丸が並べて表示され、その共架可能ポイントで共架し得る共架電線の直径が記されている。この画面の場合、丸が２つあり、直径が２０ｍｍ以下と記されているので、直径が２０ｍｍ以下の共架可能ポイントが２つ空いていることがわかる。
【００３７】
画面の左側には共架希望内容入力フォームが表示され、共架可能ポイントがある共架電線の種別、直径、単位重量、共架希望時期が入力できるようになっており、共架申込規約を読むように書かれている。共架希望時期は、申込者が共架をする時期を決めている場合は日付を入力するが、将来的な権利確保のために共架の申し込みをする場合は、詳細な日付を入力する必要はない。なお、電柱番号は記憶部２９ｂに記憶されているものであり、申込者が入力する必要はない。また、共架電線の直径が異なる共架可能ポイントが複数ある場合は、共架を希望する共架電線の直径を申込者が入力もしくは選択できるようになっている。また、「共架申込規約」と書かれた部分をマウス３６で選択すると、共架申込規約が書かれたページを開くことができ、規約内容を確認することができる。
【００３８】
図７（Ｂ）の画面の左下にある、「戻る」と書かれたボタンがマウス３６で選択された場合、ＣＰＵ３１はステップＳＴ９で、申込者がこの電柱に共架の申し込みをしないと判定し、このときＣＰＵ３１はステップＳＴ２に戻り、所定の領域の地図をディスプレイ３７に表示させる。「申し込む」と書かれたボタンがマウス３６で選択された場合、ＣＰＵ３１はステップＳＴ９で、画面に表示された電柱に申込者が共架を希望すると判定し、ステップＳＴ１０で、所定のフォームの申込書を画面の左側に表示させる。図７（Ｃ）はこのときディスプレイ３７に表示される表示の一例を示している。
【００３９】
図７（Ｃ）に示すように、画面の右側には、直径２０ｍｍ以下の共架可能ポイントが１ポイント選択されたことが表示される。画面の左側には、氏名もしくは会社名、住所、連絡先電話番号、メールアドレスを記入する欄がある。申込者は全ての欄に記入をし、左側画面の右側にあるカーソルを下方向に下げると、画面の左側だけが上方向に移動し、このとき、画面の左側には、申し込み内容確認画面が表示される。
【００４０】
図７（Ｄ）は、このときディスプレイ３７に表示される表示の一例を示している。画面には、所有者側サーバ２０のＣＰＵ２１によって自動付与される申込番号、申し込んだ電柱の番号、その電柱の存在する道路、共架電線の直径、共架にかかる料金が表示される。また、「共架申込規約」と書かれた部分をマウス３６で選択すれば、共架申込規約を再度確認することができる。  
次に、ＣＰＵ３１はステップＳＴ１１で、共架申込規約に同意したか否かを判定する。この場合、申込者が図７（Ｄ）の左下にある「キャンセル」と書かれたボタンを選択した場合、ＣＰＵ３１はステップＳＴ７で申込者が共架申込規約に同意しなかったものと判定し、ＣＰＵ３１はステップＳＴ１６で動作を終了する。
【００４１】
申込者が共架申込規約に同意して図７（Ｄ）の左下にある「申し込む」と書かれたボタンを選択した場合、ＣＰＵ３１はステップＳＴ１１で申込者が共架申込規約に同意したものと判定し、ステップＳＴ１２で所有者側サーバ２０に共架申込情報をバス３８を通してネットワークＩ／Ｆ３４ａに送り、ネットワーク４０を介して所有者側サーバ２０に送信する。
【００４２】
所有者側サーバ２０のＣＰＵ２１は、受信した共架申込情報を、記憶部２９ｃに書き込み、保存する。この場合、ＣＰＵ２１は、書き込み制御部を構成する。
【００４３】
また、所有者側サーバ２０のＣＰＵ２１は、申込情報の保存が終了した後に、申し込みの完了を表示する表示情報を、バス２８を通じてネットワークＩ／Ｆ２４ａに送り、ネットワーク４０を介して申込者側端末３０に送信する。
【００４４】
次に、ＣＰＵ３１は、ステップＳＴ１３で、申し込みの完了を表示する表示情報を受信したか否かを判定する。そしてその表示情報を受信したとき、ＣＰＵ３１はステップＳＴ１４で、ディスプレイ３７に申込完了の表示をさせる。
【００４５】
次に、ＣＰＵ３１は、ステップＳＴ１５で、続けて申し込みを希望したか否かを判定する。ディスプレイ３７には「続けて申し込む」と書かれたボタンが表示されている。申込者が続けて申し込みをする場合は、「続けて申し込む」と書かれたボタンをマウス３６で選択すれば、ＣＰＵ３１はステップＳＴ１５で申込者が続けて申し込みを希望していると判定し、ステップＳＴ２へ戻り、所定の領域の全域地図を表示して、ステップＳＴ２からステップＳＴ１４までの動作を再び行う。また、ＣＰＵ３１がステップＳＴ１５で、申込者が申込を希望していないと判定した場合は、ＣＰＵ３１はステップＳＴ１６で、共架の申込に伴って行われる一連の処理を終了する。
【００４６】
電柱に看板設置を申し込む際も、ＣＰＵ３１は、上述した共架の申込と同様の動作を行う。図５のフローチャートは、電柱に看板設置を申し込む際のＣＰＵ３１の動作を示している。なお、ＣＰＵ３１の詳細な動作は上述した共架の申込の場合と同じであるので、適宜その説明を省略する。
【００４７】
共架の場合と同様に、ＣＰＵ３１は、ステップＳＴ２１で看板設置を希望する地域の電力会社の、電柱への看板設置申込受付ホームページにアクセスすることによって、動作をスタートする。ステップＳＴ２２で、電力会社の管轄する、所定の領域の地図をディスプレイ３７に表示させる。このとき、ディスプレイ３７には、所定の領域の大縮尺図が表示される。
【００４８】
画面には図示せずも、看板設置を希望する住所、電話番号が入力する箇所と、住所を選択する箇所が表示される。申込者によって、キーボード３５で設置を希望する住所または電話番号が入力されるか、もしくはマウス３６によって住所が選択されて地域が指定されると、ＣＰＵ３１は地域指定情報を、所有者側サーバ２０に送信する。所有者側サーバ２０は、地域指定情報に応じて、記憶部２９ａに記憶されている地図情報および電柱位置情報と、記憶部２９ｂに記憶されている電柱の使用情報に基づいて、指定地域の地図とその地図に重ねてその地域の電柱を表示する表示情報を送信する。このとき、ＣＰＵ２１は第１の送信制御部を構成する。
【００４９】
次に、ＣＰＵ３１はステップＳＴ２４で地図、電柱表示情報を所有者側サーバ２０から受信したか否かを判定する。その表示情報が受信されたとき、ステップＳＴ５に進み、受信された表示情報に基づいてディスプレイ３７に指定地域の地図および電柱を表示させる。
【００５０】
この場合、共架の場合と同じく、指定地域の電柱の設置可否の他に、電柱が既設であるか新設予定であるかが容易に判別できるように、例えば色で分けられて表示される。図８（Ａ）は、ステップＳＴ２５で、ＣＰＵ３１によってディスプレイ３７に表示される表示の一例を示している。図８（Ａ）の右画面には電柱が二重丸で表示され、色によって電柱への看板設置の可否および電柱が既設であるか新設予定であるかを判別できるようになっている。この場合、画面の左側に記されているとおり、青色は設置可能な電柱、赤色は設置不可能な電柱、緑色が新設予定電柱かつ設置可能な電柱、黄色が新設予定電柱かつ設置不可能な電柱を示すものとされている。
【００５１】
申込者は図８（Ａ）に示す画面を見て、青色もしくは緑色の二重丸の中で、看板設置を希望する電柱があった場合は、その電柱をマウス３６で選択して指定できる。ＣＰＵ３１は、電柱が指定されると、ステップＳＴ２６で電柱指定情報を所有者側サーバ２０へ送信する。
【００５２】
所有者側サーバ２０のＣＰＵ２１は、電柱指定情報に応じて、記憶部２９ｂに記憶されている使用情報に基づいて、指定された電柱の設置可能ポイントおよびその電柱を申し込むための所定のフォームの申込書等を表示する表示情報を申込者側端末３０に送信する。この場合、ＣＰＵ２１は第２の送信制御部を構成する。
【００５３】
次に、ＣＰＵ３１はステップＳＴ２７で、設置可能ポイント、申込書等の表示情報を所有者側サーバ２０から受信したか否かを判定する。この表示情報を受信したとき、ステップＳＴ２８へ進む。ＣＰＵ３１はステップＳＴ２８で、受信された表示情報に基づいて、設置可能ポイント、希望内容入力フォーム等をディスプレイ３７に表示させる。
【００５４】
図８（Ｂ）は、ステップＳＴ２８で、送信された表示情報がＣＰＵ３１によってディスプレイ３７に表示される表示の一例を示している。画面の右側にはその電柱が設置された道路の名前、電柱の図、設置可能ポイントが四角で表示され、看板の設置が可能な箇所の、地上からの高さが記されている。この画面の場合、地上２ｍの位置に設置できることがわかる。
【００５５】
画面の左側には設置希望内容入力フォームが表示され、希望設置電柱の番号、設置を希望する地上からの高さ、設置する看板の縦および横の大きさ、設置希望時期が入力できるようになっており、看板設置申込規約を読むように書かれている。設置希望時期は、申込者が設置をする時期を決めている場合は日付を入力するが、将来的な権利確保のために設置の申し込みをする場合は、詳細な日付を入力する必要はない。なお、電柱番号は記憶部２９ｂに記憶されているものであり、申込者が入力する必要はない。また、「看板設置申込規約」と書かれたボタンがマウス３６で選択すると、看板設置申込規約が書かれたページを開くことができ、規約内容を確認することができる。
【００５６】
図８（Ｂ）の画面の左下にある、「戻る」と書かれたボタンがマウス３６で選択された場合、ＣＰＵ３１はステップＳＴ２９で、申込者がこの電柱に看板設置の申し込みをしないと判定し、このときＣＰＵ３１はステップＳＴ２２に戻り、所定の領域の地図をディスプレイ３７に表示させる。「申し込む」と書かれたボタンがマウス３６で選択された場合、ＣＰＵ３１はステップＳＴ２９で、画面に表示された電柱に申込者が看板の設置を希望すると判定し、ステップＳＴ３０で、所定のフォームの申込書を画面の左側に表示させる。図８（Ｃ）はこのときディスプレイ３７に表示される表示の一例を示している。
【００５７】
図８（Ｃ）に示すように、画面の左側には、地上２ｍの位置の設置可能ポイントが１ポイント選択されたことが表示される。共架を申し込む場合と同様に、画面の左側には、氏名もしくは会社名、住所、連絡先電話番号、メールアドレスを記入する欄がある。申込者は全ての欄に記入をし、左側画面の右側にあるカーソルを下方向に下げると、画面の左側だけが上方向に移動し、このとき、画面の左側には、申し込み内容確認画面が表示される。
【００５８】
図８（Ｄ）は、このときディスプレイ３７に表示される表示の一例を示している。画面には、所有者側サーバ２０のＣＰＵ２１によって自動付与される申込番号、設置を申し込んだ電柱の番号、その電柱の存在する道路、設置する高さと、設置にかかる料金等が表示される。また、「看板設置申込規約」と書かれた部分をマウス３６で選択すれば、看板設置申込規約を再度確認することができる。
【００５９】
次に、ＣＰＵ３１はステップＳＴ３１で、看板設置申込規約に同意したか否かを判定する。この場合、申込者が図８（Ｄ）の左下にある「キャンセル」と書かれたボタンを選択した場合、ＣＰＵ３１はステップＳＴ２７で申込者が設置申込規約に同意しなかったものと判定し、ＣＰＵ３１はステップＳＴ３６で動作を終了する。
【００６０】
申込者が設置申込内容に同意して図７（Ｄ）の左下にある「申し込む」と書かれたボタンを選択した場合、ＣＰＵ３１はステップＳＴ２７で申込者が設置申込内容に同意したものと判定し、ＣＰＵ３１はステップＳＴ３２で所有者側サーバ２０に看板設置申込情報を送信する。
【００６１】
所有者側サーバ２０のＣＰＵ２１は、受信した看板設置申込情報を、記憶部２９ｃに書き込み、保存する。このとき、ＣＰＵ２１は書き込み制御部を構成する。
【００６２】
また、所有者側サーバ２０のＣＰＵ２１は、申込情報の保存が終了した後に、申し込みの完了を表示する表示情報を、バス２８を通じてネットワーク４０を介して申込者側端末３０に送信する。
【００６３】
次に、ＣＰＵ３１は、ステップＳＴ３３で、申し込みの完了を表示する表示情報を受信したか否かを判定する。そしてその表示情報を受信したとき、ＣＰＵ３１はステップＳＴ３４で、ディスプレイ３７に申込完了の表示をさせる。
【００６４】
次に、ＣＰＵ３１は、ステップＳＴ３５で、続けて申し込みを希望したかを判定する。ディスプレイ３７には「続けて申し込む」と書かれたボタンが表示されている。申込者が続けて申し込みをする場合は、「続けて申し込む」と書かれたボタンをマウス３６で選択すれば、ＣＰＵ３１はステップＳＴ３５で申込者が続けて申し込みを希望していると判定し、ステップＳＴ２２へ戻り、所定の領域の全域地図を表示して、ステップＳＴ２２からステップＳＴ３４までの動作を再び行う。また、ＣＰＵ３１がステップＳＴ２９で、申込者が申し込みを希望していないと判定した場合は、ＣＰＵ３１はステップＳＴ３６で、看板設置の申し込みに伴って行われる一連の処理を終了する。
【００６５】
上述した方法によって使用申込情報が所有者側サーバ２０の記憶部２９ｃに記憶された後、電柱の使用が許可もしくは不許可となるまでの過程を、フローチャートを用いて説明する。図６は、電柱への共架が許可もしくは不許可となるまでの、電力会社の受付担当者の動作を表している。以下、図６を用いて説明する。
【００６６】
まず、ステップＳＴ４１でスタートし、ステップＳＴ４２で記憶部２９ｃに記憶された使用申込情報を読み込む。次に、ステップＳＴ４３で、申し込みのあった共架物を追加して、電柱の強度計算を行い、共架を行うことで他の共架物に影響がないかを再度確認する。
【００６７】
次に、ステップＳＴ４４で、使用申込があった電柱が新設電柱であるか否かを判断する。ステップＳＴ４４でその電柱が新設予定電柱ではなく、既設電柱であると判断した場合は、ステップＳＴ４７へ進む。ステップＳＴ４４で新設予定電柱であると判断した場合は、ステップＳＴ４５へ進む。
【００６８】
ステップＳＴ４５では、新設予定の電柱に設計変更が必要かが判断される。設計変更は、例えば、共架を希望するポイントの設計を多少変更すれば共架することが可能となる場合に行われる。設計変更が必要であると判断した場合はステップＳＴ４６へ進んで、設計を変更し、ステップＳＴ４７へ進む。設計変更が必要ではないと判断した場合は、そのままステップＳＴ４７へ進む。ステップＳＴ４７では、他の申込者によって該当する共架可能ポイントが選択されないように、申請中であることを表示させるように、記憶部２９ｂの使用情報の内容を変更する。
【００６９】
図７（Ｅ）は、申請中であることを表示する表示例である。図７（Ｅ）に示すように、申請中のポイントは、空きポイントと区別できるように、色で分けられている。また、１ポイントは申請中であることを表示する。このように、他の申込者が申請中のポイントを把握することができるので、二重に申し込みをするのを防止することができる。
【００７０】
次に、ステップＳＴ４８で、共架の申込内容が共架不許可事由にあてはまるかを判断する。共架不許可事由にあてはまる事例は、例えば、共架をすることによって有線電気通信設備令やその他の設備関係法令等の条件を満たさなくなる場合や、共架契約に定める事項が履行されなかったことがある場合である。共架不許可事由にあてはまる場合は、ステップＳＴ４９で、申請中の表示が消えるように記憶部２９ｂの使用情報の内容を変更して、共架可能ポイントを復活させ、ステップＳＴ５１で申込者側端末３０に電子メールを送信して、共架が不許可であることを通知して、ステップＳＴ５２で使用申込の受付を終了する。
【００７１】
共架不許可事由にあてはまらない場合は、ステップＳＴ５０で申請中の表示および該当する共架可能ポイントが消えるように記憶部２９ｂの使用情報の内容を変更する。その後、ステップＳＴ５１で電子メールを送信して共架が許可されたことを通知し、ステップＳＴ５２で終了となる。なお、共架が許可された共架可能ポイントがこの電柱の最後の共架可能ポイントであった場合は、図７（Ａ）で表示される画面で該当する電柱の色を変更する。該当する電柱が既設電柱である場合は、電柱を示す二重丸を赤色に変更し、新設予定電柱である場合は、黄色に変更して、使用申込の受付が完了する。
【００７２】
なお、看板設置の場合は、電柱の強度計算等を行う必要性がないので、既設電柱、新設電柱に限らず、申し込みを受け付けたら申請中であることを表示し、設置する看板の内容だけを審査する。審査方法も共架の場合と同様に、看板設置不許可事由にあてはまるか、例えば、申込者が過去に契約に定める事項が履行されなかったことがあるか等を審査する。審査の結果、設置を許可する場合は、共架の場合と同じように、申請中の表示を消し、該当する設置可能ポイントを減らし、申込者側端末３０に電子メールを送信して、設置を許可することを通知する。設置を許可しない場合は、共架の場合と同じく、申請中の表示を消して設置可能ポイントを復活させ、申込者側端末３０に電子メールを送信して、設置が不許可であることを通知する。
【００７３】
以上のように、図１に示す電柱使用申込システム１０によれば、申込者側端末３０のディスプレイ３７に電柱使用を希望する所定の地域の地図およびその地域に存在する電柱と、電柱の使用可否、さらには電柱が既設であるか新設予定であるかを判別可能な方法で表示するので、申込者は使用可能な電柱を容易に判別することができる。また、使用を希望する電柱を指定すると、その電柱の使用可能ポイントと所定のフォームの申込書がディスプレイ３７に表示され、それに必要事項を記入して送信するだけで、電柱の使用申込を迅速かつ容易に行うことができる。
【００７４】
なお、上述の実施の形態においては、電柱の使用申込を受け付けるホームページを、共架と看板設置で分けたが、電柱の使用申込のホームページとして、同じホームページ上で受け付けるようにしてもよい。例えば、共架を申し込んだ後に看板設置を続けて申し込む場合、改めて名前や住所等の必要事項を入力する手間を省くことができ、より迅速に電柱の使用申込を行うことが可能となる。
【００７５】
また、上述の実施の形態においては、電柱の使用申込を行いたい人であれば誰でもホームページを利用して申し込みを行うことができるようにしたが、予め電力会社の顧客として登録された申込者だけが電柱の使用を申し込めるようにしてもよい。こうすることにより、申込者は申込書に住所や名前等の必要事項を記入する必要がなくなり、より迅速に電柱の使用申込を行うことができる上、電力会社の使用内容の審査が容易となり、電柱の使用が許可されるまでの時間がより短縮される。
【００７６】
この場合、例えば、図４のステップＳＴ１で、申込者側端末３０のディスプレイ３７にユーザーＩＤとパスワードを入力する画面が表示され、申込者は予め与えられたユーザーＩＤとパスワードを入力しなければ、ステップＳＴ２以降に進むことができないようにしてもよい。
【００７７】
また、上述の実施の形態においては、共架を申し込むとき、図４のステップＳＴ５で地図および電柱を表示する表示例として、図７（Ａ）に示す画面で共架可否の情報を重ねて表示したが、さらに共架可能な電線ルートがわかるように表示するようにしてもよい。図９は、電柱および共架可否の情報に加えて、共架可能な電線ルートが表示される表示の一例を示している。図９では、共架可能な電線ルートが点線で示されている。申込者は共架を希望する電線ルートがあれば、その点線上にある電柱をそれぞれ指定して共架申込を行うことができる。
【産業上の利用可能性】
【００７８】
この発明は、電柱の使用可能ポイントを把握して電柱の使用申込を行い得るものであり、電柱への共架の申し込み、もしくは看板設置の申し込みに適用できる。
【図面の簡単な説明】
【００７９】
【図１】実施の形態としての電柱申込システムの構成を示す図である。
【図２】実施の形態としての所有者側サーバの構成を示す図である。
【図３】実施の形態としての申込者側端末の構成を示す図である。
【図４】共架の申し込みをする場合の申込者側端末のＣＰＵの動作を示すフローチャートである。
【図５】看板設置の申し込みをする場合の申込者側端末のＣＰＵの動作を示すフローチャートである。
【図６】共架の申し込みが許可もしくは不許可となるまでの電力会社の受付担当者の動作を示すフローチャートである。
【図７（Ａ）】指定された地域の地図と電柱を表示した表示例である。
【図７（Ｂ）】指定電柱の図面、共架可能ポイント、共架希望内容入力フォームを表示した表示例である。
【図７（Ｃ）】申し込み内容入力フォームを表示した表示例である。
【図７（Ｄ）】申し込み内容確認画面を表示した表示例である。
【図７（Ｅ）】共架の申し込みが申請中であることを表示した表示例である。
【図８（Ａ）】指定された地域の地図と電柱を表示した表示例である。
【図８（Ｂ）】指定電柱の図面、設置可能ポイント、看板設置希望内容入力フォームを表示した表示例である。
【図８（Ｃ）】申し込み内容入力フォームを表示した表示例である。
【図８（Ｄ）】申し込み内容確認画面を表示した表示例である。
【図９】共架可能な電線ルートを表示した表示例である。
【符号の説明】
【００８０】
１０…電柱使用申込システム、２０…所有者側サーバ、２１，３１…ＣＰＵ、２２，３２…ＲＡＭ、２３，３３…ＲＯＭ、２４ａ，３４ａ…ネットワークＩ／Ｆ、２４ｂ，３４ｂ…入出力Ｉ／Ｆ、２５，３５…キーボード、２６，３６…マウス、２７，３７…ディスプレイ、３０…申込者側端末、４０…ネットワーク
【図１】
0004817743.tif 000002
【図２】
0004817743.tif 000003
【図３】
0004817743.tif 000004
【図４】
0004817743.tif 000005
【図５】
0004817743.tif 000006
【図６】
0004817743.tif 000007
【図７（Ａ）】
0004817743.tif 000008
【図７（Ｂ）】
0004817743.tif 000009
【図７（Ｃ）】
0004817743.tif 000010
【図７（Ｄ）】
0004817743.tif 000011
【図７（Ｅ）】
0004817743.tif 000012
【図８（Ａ）】
0004817743.tif 000013
【図８（Ｂ）】
0004817743.tif 000014
【図８（Ｃ）】
0004817743.tif 000015
【図８（Ｄ）】
0004817743.tif 000016
【図９】
0004817743.tif 000017